(57)【要約】【課題】  蓋体の開閉状態を視覚的に容易に把握することを可能とした広口容器を創出することを課題とする。【解決手段】  広口状の容器本体と、口筒部に対して開閉自在に装着される蓋体４０とを有する広口容器であって、蓋体４０が、内蓋３０と、内蓋３０の外側に回転可能に外挿されて成る外蓋２０とを有して構成され、外蓋２０の天面には外蓋側透明領域２２と外蓋側不透明領域２３とが交互に配置され、内蓋３０の天面には内蓋側第１領域３２と内蓋側第１領域３２とは異なる色又は柄で形成された内蓋側第２領域３３とが交互に配置されており、閉蓋状態では、外蓋側不透明領域２３と外蓋側透明領域２２を介して外部に表出される内蓋側第１領域３２とにより蓋体４０の天面に模様が形成され、開蓋状態では、外蓋側不透明領域２３と外蓋側透明領域２２を介して外部に表出される内蓋側第２領域３３とにより蓋体４０の天面に模様が形成される構成とする。【選択図】  図４
2018039568.tif 000002
【特許請求の範囲】
【請求項１】
内容物が充填される広口状の容器本体（１０）と、前記容器本体（１０）の口筒部（１１）に対して開閉自在に装着される蓋体（４０）とを有する広口容器であって、
前記蓋体（４０）が、前記口筒部（１１）の周壁（１２）に設けられたネジ（１３）に螺合するネジ（３８）を有する内蓋（３０）と、該内蓋（３０）の外側に回転可能に外挿されて成る外蓋（２０）とを有して構成され、
前記外蓋（２０）の天面には外蓋側透明領域（２２）と外蓋側不透明領域（２３）とが交互に配置されて成る外蓋側模様部（２４）が形成され、前記内蓋（３０）の天面には内蓋側第１領域（３２）と該内蓋側第１領域（３２）とは異なる色又は柄で形成された内蓋側第２領域（３３）とが交互に配置されて成る内蓋側模様部（３４）が形成されており、
前記蓋体（４０）を閉じた閉蓋状態では、前記外蓋側不透明領域（２３）と前記外蓋側透明領域（２２）を介して外部に表出される前記内蓋側第１領域（３２）とにより蓋体（４０）の天面に模様が形成され、前記蓋体（４０）を開いた開蓋状態では、前記外蓋側不透明領域（２３）と前記外蓋側透明領域（２２）を介して外部に表出される前記内蓋側第２領域（３３）とにより蓋体（４０）の天面に模様が形成されることを特徴とする広口容器。
【請求項２】
外蓋側不透明領域（２３）と内蓋側第１領域（３２）とが同じ色又は柄で形成され、外蓋側不透明領域（２３）と内蓋側第２領域（３３）とが異なる色又は柄で形成されている請求項１記載の広口容器。
【請求項３】
外蓋側模様部（２４）を構成する外蓋側透明領域（２２）及び外蓋側不透明領域（２３）と、内蓋側模様部（３４）を構成する内蓋側第１領域（３２）及び内蓋側第２領域（３３）とが全て同じ形状で形成されている請求項１又は２に記載の広口容器。
【請求項４】
蓋体（４０）の天面に形成される模様が渦巻き模様である請求項１乃至３のいずれか一項に記載の広口容器。
【請求項５】
外蓋（２０）の周壁（２５）と内蓋（３０）の周壁（３５）とが対向し合う一方の周壁（３５）に凸部（３７）が形成されており、他方の周壁（２５）に前記凸部（３７）が摺動可能な溝部（２７）が形成されると共に該溝部（２７）の周方向の長さ寸法（Ｌ１）よりも前記凸部（３７）の長さ寸法（Ｌ２）が短く設定されている請求項１乃至４のいずれか一項に記載の広口容器。
【請求項６】
溝部（２７）内に、凸部（３７）の摺動を規制する規制凸部（２８）が形成されている請求項５記載の広口容器。
【請求項７】
容器本体（１０）側の口筒部（１１）を形成する周壁（１２）に本体側係止片（１４）が突設され、これと対向する内蓋（３０）の周壁（３５）に、前記本体側係止片（１４）を周方向に乗り越え可能な内蓋側係止片（３９）が突設されている請求項１乃至６のいずれか一項に記載の広口容器。
【請求項８】
内蓋（３０）側の内蓋側係止片（３９）と容器本体（１０）側の本体側係止片（１４）との間の係合力が、前記内蓋（３０）側の主凸部（３７Ｂ）と前記外蓋（２０）の規制凸部（２８）との間の係合力よりも大きく設定されている請求項７記載の広口容器。
【請求項９】
容器本体（１０）側の口筒部（１１）を形成する周壁（１２）に移動リブ（２０ａ）が突設され、これと対向する内蓋（３０）の周壁（３５）に、周方向に移動しようとする前記移動リブ（２０ａ）を拘束する拘束部（３０ｃ）と前記移動リブ（２０ａ）の周方向への移動を規制する規制リブ（３０ｄ）とが設けられている請求項１乃至４のいずれか一項に記載の広口容器。
【請求項１０】
拘束部（３０ｃ）は、一対の傾斜面と垂直面とを有して構成される傾斜リブ（３０ｂ）と、該傾斜リブ（３０ｂ）を周方向に乗り越えた移動リブ（２０ａ）のさらなる移動を阻止するストッパリブ（３０ａ）とにより構成される請求項９記載の広口容器。
【発明の詳細な説明】
【技術分野】
【０００１】
本発明は、蓋体の開閉状態や不正開封を視覚的に把握し得る広口容器に関する。
【背景技術】
【０００２】
保湿クリームやマッサージクリームといった比較的粘度の高い化粧料は、従来より広口状の容器本体と、この容器本体の口筒部に螺着される蓋体とを有して開閉可能に構成された広口容器（いわゆる「ジャー容器」）に充填された状態で販売されている（例えば特許文献１）。
【先行技術文献】
【特許文献】
【０００３】
【特許文献１】特開２０１０−１９５４５０号公報
【発明の概要】
【発明が解決しようとする課題】
【０００４】
従来の広口容器では、蓋体の閉塞が完全でなくても、見かけ上は蓋体が閉じているように見える場合が多い。そのため、使用者は、蓋体の開閉状態を一見して把握することができず、結局のところ、蓋体の開閉状態を手で操作して確認する必要があった。
【０００５】
また従来の広口容器では、店頭に陳列されている状態においては、蓋体を開けて異物を混入することが比較的容易であることから、蓋体が不正に開封されたか否かを判別する機能を備えることが要求されている。
【０００６】
本発明は、上記した従来技術における問題点を解消すべく、蓋体の開閉状態を視覚的に容易に把握することを可能にすると共に不正開封判別機能を備えた広口容器を創出することを課題とする。
【課題を解決するための手段】
【０００７】
上記課題を解決するための手段のうち、本発明の主たる手段は、内容物が充填される広口状の容器本体と、容器本体の口筒部に対して開閉自在に装着される蓋体とを有する広口容器であって、
蓋体が、口筒部の周壁に設けられたネジに螺合するネジを有する内蓋と、内蓋の外側に回転可能に外挿されて成る外蓋とを有して構成され、
外蓋の天面には外蓋側透明領域とこの外蓋側不透明領域とが交互に配置されて成る外蓋側模様部が形成され、内蓋の天面には内蓋側第１領域と内蓋側第１領域とは異なる色又は柄で形成された内蓋側第２領域とが交互に配置されて成る内蓋側模様部が形成されており、
蓋体を閉じた閉蓋状態では、外蓋側不透明領域と外蓋側透明領域を介して外部に表出される内蓋側第１領域とにより蓋体の天面に模様が形成され、蓋体を開いた開蓋状態では、外蓋側不透明領域とこの外蓋側透明領域を介して外部に表出される内蓋側第２領域とにより蓋体の天面に模様が形成されることを特徴とする、と云うものである。
【０００８】
本発明の主たる手段では、蓋体の天面の状態を、閉蓋状態と開蓋状態とで異なる模様とすることを達成し得る。
【０００９】
本発明の他の手段は、上記本発明の主たる手段に、外蓋側不透明領域と内蓋側第１領域とが同じ色又は柄で形成され、外蓋側不透明領域と内蓋側第２領域とが異なる色又は柄で形成されている、との手段を加えたものである。
【００１０】
上記手段では、閉蓋状態及び開蓋状態における蓋体の天面の状態を、色又は柄の異なりにより区別することを達成し得る。
【００１１】
また本発明の他の手段は、上記いずれかの手段に、外蓋側模様部を構成する外蓋側透明領域及び外蓋側不透明領域と、内蓋側模様部を構成する内蓋側第１領域及び内蓋側第２領域とが全て同じ形状で形成されている、との手段を加えたものである。
【００１２】
上記手段では、外蓋側透明領域の真下の位置に内蓋側第１領域又は内蓋側第２領域が位置するときには、これらを外蓋側透明領域を介して表出させ、外蓋側不透明領域の真下の位置に内蓋側第１領域又は内蓋側第２領域が位置するときには、これらを隠すことを達成し得る。
【００１３】
また本発明の他の手段は、上記いずれかの手段に、蓋体の天面に形成される模様が渦巻き模様である、との手段を加えたものである。
【００１４】
上記手段では、例えば開蓋状態のときに蓋体の天面に渦巻き模様を表出し得る。
【００１５】
また本発明の他の手段は、上記いずれかの手段に、外蓋の周壁と内蓋の周壁とが対向し合う一方の周壁に凸部が形成されており、他方の周壁に凸部が摺動可能な溝部が形成されると共に溝部の周方向の長さ寸法よりも凸部の長さ寸法が短く設定されている、との手段を加えたものである。
【００１６】
上記手段では、外蓋と内蓋とが互いに所定の範囲内で回転する関係を維持することが可能となり、閉蓋状態のときには蓋体の天面の状態を渦巻き模様が隠れる状態とし、開蓋状態のときには蓋体の天面の状態を渦巻き模様が表出される状態に確実に設定し得る。
【００１７】
また本発明の他の手段は、上記の手段に、溝部内に、凸部の摺動を規制する規制凸部が形成されている、との手段を加えたものである。
【００１８】
上記手段では、例えば外蓋側の規制凸部が内蓋側の副凸部と係合して回転規制状態に至り、外蓋と内蓋とは相対的に回転が規制されるようになるため、閉蓋状態においては、蓋体はその天面に渦巻き模様が表出されない閉蓋状態を維持し得るようになる。
【００１９】
また本発明の他の手段は、上記いずれかの手段に、容器本体側の口筒部を形成する周壁に本体側係止片が突設され、これと対向する内蓋の周壁に、本体側係止片を周方向に乗り越え可能な内蓋側係止片が突設されている、との手段を加えたものである。
【００２０】
上記手段では、閉蓋状態において、蓋体が容易に開き方向に回転することを防止し得る。
【００２１】
また本発明の他の手段は、上記手段に、内蓋側の内蓋側係止片と容器本体側の本体側係止片との間の係合力が、内蓋側の主凸部と外蓋の規制凸部との間の係合力よりも大きく設定されている、との手段を加えたものである。
【００２２】
上記手段では、これらの間の係合が解除されるときに、最初に内蓋側の主凸部と外蓋の規制凸部との間の係合が解除される仕組みとし得る。
【００２３】
また本発明の他の手段は、上記いずれかの手段に、容器本体側の口筒部を形成する周壁に移動リブが突設され、これと対向する内蓋の周壁に、周方向に移動しようとする移動リブを拘束する拘束部と移動リブの周方向への移動を規制する規制リブとが設けられている、との構成を加えたものである。
【００２４】
この場合例えば、拘束部は、一対の傾斜面と垂直面とを有して構成される傾斜リブと、この傾斜リブを周方向に乗り越えた移動リブのさらなる移動を阻止するストッパリブとにより構成される、ものが好ましい。
【００２５】
上記手段では、一度使用後の状態にとなった蓋体を元の使用前の状態に戻そうとしたときに、外蓋側の移動リブが傾斜リブを逆方向（閉じ方向）に乗り越えることを阻止して使用後の状態を維持し得る。
【発明の効果】
【００２６】
本発明では、閉蓋状態のときには蓋体の天面に模様が形成されず、蓋体を開いた開蓋状態のときに蓋体の天面に模様が形成されるようになることから、蓋体の天面の状態を視覚的に確認することにより、蓋体の開閉状態を容易に把握することができる。
【００２７】
また閉蓋状態のときには、外蓋と内蓋とが相対的に回転が規制される回転規制状態となることから、誤って蓋体が開き方向に回転してしまうことを防止できると共に、蓋体の天面については、閉塞状態を示す渦巻き模様が表出されない状態を維持し、誤って開蓋状態示す渦巻き模様が表出されてしまう状態となることを防止することができる。
【００２８】
さらに店頭に陳列されている広口容器にあっては、悪戯等による不正開封操作が行われたか否かを蓋体の天面の状態を確認することにより容易に判別することができる。
【図面の簡単な説明】
【００２９】
【図１】本発明の第１実施例を示す広口容器の分解斜視図である。
【図２】Ａは外蓋の周壁の内面を部分的に示す拡大斜視図、ＢはＡの２Ｂ−２Ｂ線における断面図、ＣはＡの２Ｃ−２Ｃ線における断面図である。
【図３】Ａは内蓋の周壁の外面を部分的に示す拡大斜視図、ＢはＡの３Ｂ−３Ｂ線における部分断面図、ＣはＡの３Ｃ−３Ｃ線における部分断面図である。
【図４】Ａは閉蓋状態を示す広口容器の平面図、Ｂは開蓋体状態を示す広口容器の平面図である。
【図５】Ａは閉蓋状態を示す広口容器の平断面図、Ｂは開蓋体状態を示す広口容器の平断面図である。
【図６】閉蓋状態から開蓋状態へ移行する過程を段階的に示す広口容器の部分的な拡大平断面図である。
【図７】開蓋状態から閉蓋状態へ移行する過程を段階的に示す広口容器の部分的な拡大平断面図である。
【図８】本発明の第２実施例を示す広口容器の半断面図である。
【図９】図８のＩＸ−ＩＸ線における平断面であり、Ａは蓋体を一度も開けたことのない使用前の状態、Ｂは少なくとも外蓋に対して開封操作が行われたことのある使用後の状態を示している。
【発明を実施するための形態】
【００３０】
以下、本発明の実施の形態について図面を参照しつつ説明する。
図１は本発明の第１実施例を示す広口容器の分解斜視図、図２Ａは外蓋の周壁の内面を部分的に示す拡大斜視図、図２Ｂは図２Ａの２Ｂ−２Ｂ線における断面図、図２Ｃは図２Ａの２Ｃ−２Ｃ線における断面図、図３Ａは内蓋の周壁の外面を部分的に示す拡大斜視図、図３Ｂは図３Ａの３Ｂ−３Ｂ線における部分断面図、図３Ｃは図３Ａの３Ｃ−３Ｃ線における部分断面図である。
【００３１】
図１に示すように本発明の広口容器１は、化粧用のクリームなどの内容物が充填される容器本体１０と、容器本体１０の口筒部１１に開閉自在に装着される蓋体４０とを有して構成されている。
【００３２】
容器本体１０は合成樹脂製から成る有底筒状の容器であり、その上部開口端に設けられた口筒部１１の周壁１２にはネジ（雄ネジ）１３が形成され、このネジ１３の下部側の位置で且つ軸対称となる２箇所の位置には本体側係止片１４が刻設されている。
【００３３】
蓋体４０は、外蓋２０とこの外蓋２０の内側に相対的に回転可能に設けられた内蓋３０とを有する二重蓋である。
一方の外蓋２０は合成樹脂材料により有頂筒状に形成されており、その天面２１には複数（第１実施例では６ヶ）の外蓋側透明領域２２とこれと同数から成る外蓋側不透明領域２３とが周方向に交互に設けられて成る外蓋側模様部２４が形成されている。尚、外蓋側模様部２４は、好ましくは外蓋２０の素地色（例えば白色）で形成されており、図１及び図４Ａ，Ｂでは分かりやすくするために外蓋側不透明領域２３をハッチングを付して示している。外蓋側透明領域２２及び外蓋側不透明領域２３は同じ大きさ且つ同形状で形成されており、各形状は中心点から外縁部に向かう各辺を円弧状とする渦巻き形状として形成されている。この外蓋２０では、外部から外蓋側透明領域２２を介して外蓋２０の内部の状態を把握することが可能であるが、外蓋側不透明領域２３を介して内部の状態を把握することは不可能となっている。
【００３４】
図２に示すように、外蓋２０の周壁２５の内面２５Ｂの下端には段差部２６が周設されており、軸対称となる２箇所の位置には周方向に長さ寸法Ｌ１を有して構成される溝部２７が形成されている。溝部２７は基部側を構成する大きめの副溝部２７Ａと、その下部側に細溝状に形成されて成る主溝部２７Ｂとが一体に形成されたものである。主溝部２７Ｂの一端には閉方向エッジ２７ａが設けられ、他方の端部には開方向エッジ２７ｂが形成されている。この主溝部２７Ｂ内の閉方向エッジ２７ａから開方向エッジ２７ｂ側に少し寄った位置には規制凸部２８が突設されている。
【００３５】
他方の内蓋３０も合成樹脂材料によって外蓋２０よりも一回り小さな大きさを有して有頂筒状に形成されている。内蓋３０の周壁３５の内面３５Ｂには容器本体１０側のネジ１３に螺合可能なネジ（雌ネジ）３８（図３Ｂ，Ｃ参照）が刻設され、その天面３１には複数（第１実施例では６ヶ）の内蓋側第１領域３２とこれと同数から成る内蓋側第２領域３３とが周方向に交互に設けられて成る内蓋側模様部３４が形成されている。内蓋側第１領域３２及び内蓋側第２領域３３は、上述した外蓋２０側の外蓋側透明領域２２及び外蓋側不透明領域２３と同じ大きさ且つ同形状で形成されている。
内蓋側第１領域３２と内蓋側第２領域３３は互いに異なる色に着色されている。この第１実施例では、内蓋側第１領域３２を内蓋３０の素地色（例えば白色）で形成し、内蓋側第２領域３３が他の色（例えば青色）に着色されている。この内蓋側第２領域３３は、外蓋側不透明領域２３とも異なる色である。尚、図１及び図４Ｂでは内蓋側第２領域３３をグレーで示している。
【００３６】
図３に示すように、内蓋３０の周壁３５の外面３５Ａの下端にはフランジ部３６が周設されており、軸対称となる２箇所の位置には周方向に長さ寸法Ｌ２を有して構成される凸部３７が形成されている。凸部３７は基部を構成する大きめな副凸部３７Ａと、その下部側には細長凸状に形成されて成る主凸部３７Ｂとが一体に形成されたものである。
また内蓋３０の周壁３５の内面３５Ｂの下端で且つ軸対称となる２箇所の位置には、上述した容器本体１０側の本体側係止片１４と係合可能な内蓋側係止片３９が夫々突設されている（後述の図５Ａ，Ｂ参照）。
【００３７】
内蓋３０の外側に外蓋２０を外挿させた状態の蓋体４０を容器本体１０の口筒部１１に装着し、口筒部１１のネジ１３に内蓋３０のネジ３８を螺合させることにより、蓋体４０で容器本体１０の口筒部１１を閉塞することができる。内蓋３０の外側に外蓋２０を外挿させた状態では、外蓋２０側の段差部２６が内蓋３０のフランジ部３６上に載置され、且つ外蓋２０側の副溝部２７Ａ及び主溝部２７Ｂ内に、この内蓋３０側の副凸部３７Ａ及び主凸部３７Ｂが夫々嵌合しており、この状態で外蓋２０と内蓋３０とは相対的に周方向に摺動することが可能となっている。ただし、内蓋３０側の凸部３７の長さ寸法Ｌ２は、外蓋２０側の溝部２７の長さ寸法Ｌ１よりも短く設定されており、凸部３７は溝部２７内を周方向に摺動可能となっているため、外蓋２０と内蓋３０とが相対的に周方向に摺動可能な範囲は溝部２７の長さ寸法Ｌ１の範囲内である。
【００３８】
次に広口容器の動作について説明する。
図４Ａは閉蓋状態を示す広口容器の平面図、図４Ｂは開蓋体状態を示す広口容器の平面図、図５Ａは閉蓋状態を示す広口容器の平断面図、図５Ｂは開蓋体状態を示す広口容器の平断面図、図６は閉蓋状態から開蓋状態へ移行する過程を段階的に示す広口容器の部分的な拡大平断面図、図７は開蓋状態から閉蓋状態へ移行する過程を段階的に示す広口容器の部分的な拡大平断面図である。
【００３９】
図４Ａに示すように、閉蓋状態では、外蓋側透明領域２２の真下の位置に内蓋側第１領域３２（白色）が、外蓋側不透明領域２３（白色）の真下の位置に内蓋側第２領域３３（青色）が夫々対向しており、内蓋側第１領域３２（白色）がその上の外蓋側透明領域２２を介して外部に表出される状態にある。すなわち。閉蓋状態では蓋体４０の天面（外蓋２０の天面２１）は、外蓋側不透明領域２３（白色）と内蓋側第１領域３２（白色）とが周方向に交互に配置された状態にあるため、天面の全体が白色に見え、渦巻き模様が隠れた状態となっている。よって、使用者は蓋体４０の天面の状態から一見して広口容器１が閉蓋状態にあると把握することができる。
【００４０】
また図４Ｂに示すように、開蓋状態では、外蓋側透明領域２２の真下の位置に内蓋側第２領域３３（青色）が、外蓋側不透明領域２３（白色）の真下の位置に内蓋側第１領域３２（白色）が夫々対向しており、内蓋側第２領域３３（青色）がその上の外蓋側透明領域２２を介して外部に表出された状態にある。すなわち、開蓋状態では蓋体４０の天面（外蓋２０の天面２１）は、外蓋側不透明領域２３（白色）と外蓋側透明領域２２を介して外部に表出される内蓋側第２領域３３（青色）とにより形成され、外蓋側不透明領域２３（白色）と内蓋側第２領域３３（青色）とが周方向に交互に配置されることによる渦巻き模様が表出された状態にある。よって、使用者は蓋体４０の天面の状態から一見して広口容器１が開蓋状態にあると把握することができる。
【００４１】
図５Ａ及び図６Ａに示すように、閉蓋状態では、蓋体４０は閉じ方向（図示時計回り方向）に回転し切っており、内蓋３０の内蓋側係止片３９が容器本体１０側の本体側係止片１４を閉じ方向に乗り越えて係止し合う係合状態にある。また内蓋３０側の主凸部３７Ｂが外蓋２０側の主溝部２７Ｂ内を摺動し、閉方向エッジ２７ａと規制凸部２８と間に保持され、外蓋２０と内蓋３０とは相対的な回転が規制された回転規制状態にある。したがって、蓋体４０は閉じ方向だけでなく、開き方向（図示反時計回り方向）にも回転し得ない回転停止の状態に設定されている。このため、蓋体４０は、その天面に渦巻き模様が表出されない閉蓋状態を維持することができると共に、渦巻き模様が表出される開蓋状態に容易に移行することが不可能な状態にある。
【００４２】
次に、蓋体４０を閉蓋状態から開蓋状態にする過程について説明する。
図６Ｂに示すように、使用者が蓋体４０を構成する外蓋２０を把持しながら閉蓋状態から開き方向（反時計回り方向）回転させると、まず蓋体４０は外蓋２０のみが回転することになる。すなわち、内蓋３０側の内蓋側係止片３９と容器本体１０側の本体側係止片１４との間の内側の係合力は、内蓋３０の主凸部３７Ｂと外蓋２０の規制凸部２８との間の外側の係合力よりも大きく設定されており、これらの間の係合が解除されるときに、最初に外側の係合が解除される仕組みとなっている。
よって、外蓋２０のみが回転する際には、外蓋２０の規制凸部２８が内蓋３０側の主凸部３７Ｂを開き方向に乗り越えることにより、外蓋２０が回転規制状態から解放される。このとき、蓋体４０の天面に渦巻き模様が表れ始める。また内蓋３０は回転せず、内蓋３０の内蓋側係止片３９と容器本体１０側の本体側係止片１４との係合状態は維持されている。
【００４３】
図６Ｃに示すように、さらに蓋体４０を開き方向に回転させると、外蓋２０のみが回転し、外蓋２０の開方向エッジ２７ｂが内蓋３０の主凸部３７Ｂに当接する。この状態からさらに蓋体４０を開き方向に回転させると、外蓋２０の開方向エッジ２７ｂが内蓋３０の主凸部３７Ｂを開き方向に押圧するため、外蓋２０と内蓋３０とが一体となって回転する。
【００４４】
図６Ｄに示すように、さらに蓋体４０を開き方向に回転させると、内蓋３０の内蓋側係止片３９が容器本体１０側の本体側係止片１４を開き方向に乗り越える。これにより内蓋側係止片３９と本体側係止片１４との係合状態が解除され、広口容器１を開蓋状態とすることができる。この開蓋状態では、蓋体４０の天面は、開蓋状態を示す渦巻き模様となっている。よって、使用者は蓋体４０の天面の状態から広口容器１が開蓋状態にあると一見して把握することができる。
【００４５】
そして、使用者はさらに蓋体４０を開き方向に回転させることにより、蓋体４０を口筒部１１から螺脱させ、容器本体１０内の内容物を取り出すことが可能となる。
【００４６】
次に、蓋体４０を開蓋状態から閉蓋状態にする過程について説明する。
使用者は、蓋体４０を容器本体１０の口筒部１１に装着して閉じ方向に回して螺着させる。
図７Ａに示すように、この螺着の最初の過程においては、外蓋２０の規制凸部２８が内蓋３０側の主凸部３７Ｂに当接し、続いて内蓋３の内蓋側係止片３９が容器本体１０側の本体側係止片１４に当接する。
【００４７】
図７Ｂに示すように、さらに蓋体４０を閉じ方向に回転させると、外蓋２０の規制凸部２８が内蓋３０側の主凸部３７Ｂを閉じ方向に乗り越える。これにより、内蓋３０の主凸部３７Ｂが外蓋２０側の主溝部２７Ｂの閉方向エッジ２７ａと規制凸部２８と間に保持される。
【００４８】
図７Ｃに示すように、さらに蓋体４０を閉じ方向に回転させると、外蓋２０側の閉方向エッジ２７ａが内蓋３０側の主凸部３７Ｂを閉じ方向に押圧するため、外蓋２０と内蓋３０とが一体となって閉じ方向に回転する。そして、内蓋３０の内蓋側係止片３９が容器本体１０側の本体側係止片１４を閉じ方向に乗り越えることにより、上述した図５Ａ及び図６Ａ同様の閉蓋状態に至る。この状態では、蓋体４０が容易に開き方向に回転することが防止され、閉蓋状態を維持することができる。
またこの状態では、蓋体４０の天面は、渦巻き模様が隠れた状態にあるため、使用者は蓋体４０の天面の状態から広口容器１が閉蓋状態にあると一見して把握することができる。
【００４９】
次に、不正開封判別機能を備えた広口容器について説明する。図８は本発明の第２実施例を示す広口容器の半断面図、図９は図８のＩＸ−ＩＸ線における平断面であり、Ａは蓋体を一度も開けたことのない使用前の状態、Ｂは少なくとも外蓋に対して開封操作が行われたことのある使用後の状態を示している。
第２実施例が上記第１実施例と異なる点は、外蓋２０の周壁２５と内蓋３０の周壁３５とが対向し合う部分の構成にあり、その他の構成は上記第１実施例と同様である。
【００５０】
図８又は図９に示すように、外蓋２０の周壁２５の内面２５Ｂには、径中心方向に突出する移動リブ２０ａが形成され、これに対向する内蓋３０の周壁３５の外面３５Ａには外径方向に突出するストッパリブ３０ａと傾斜リブ３０ｂが周方向に隣接配置され、これらの間に拘束部３０ｃが設けられている。傾斜リブ３０ｂは、開き方向である一方に周方向に移動する移動リブ２０ａが乗り越え可能な傾斜面を有し、閉じ方向である他方に移動リブ２０ａの乗り越えを阻止する垂直面を備えた横断面略台形状からなる凸リブとして構成されている。またストッパリブ３０ａは、傾斜リブ３０ｂを開き方向に乗り越えた移動リブ２０ａがさらに開き方向に移動しようとすること阻止するための凸リブである。また図９Ａ，Ｂに示すように、傾斜リブ３０ｂから閉じ方向（図示時計回り方向）に所定の間隔（又は所定の回転角度（図９では約３０度））離れた位置には、規制リブ３０ｄが突設されている。
【００５１】
図９Ａに示す使用前の状態では、閉じ方向に移動した外蓋２０の移動リブ２０ａが内蓋３０の規制リブ３０ｄに当接しており、外蓋２０がこれ以上の閉じ方向に回転することを規制している。そして、この使用前の状態は外蓋２０及び内蓋３０は共に閉蓋状態あり、蓋体４０の天面は図４Ａ同様となっている。すなわち、図４Ａに示すように、蓋体４０の天面（外蓋２０の天面２１）は、外蓋側不透明領域２３（白色）と内蓋側第１領域３２（白色）とが周方向に交互に配置された状態にあり、天面の全体が白色に見え、渦巻き模様が隠れた状態となっている。よって、使用者は蓋体４０の天面の状態から、一見して過去に一度も開封されたことのない広口容器１であると把握することができる。
【００５２】
図９Ａに示す使用前の状態から外蓋２０を把持して開き方向（図示反時計回り方向）に僅かに（第２実施例では約３０度）回転させると、外蓋２０のみが回転した使用後の状態となる（図９Ｂ参照）。すなわち、図９Ｂに示す使用後の状態は、内蓋３０は元の閉じた状態にあり、外蓋２０のみが開き方向に回転した状態である。使用前の状態から使用後の状態に至る過程では、外蓋２０側の移動リブ２０ａが開き方向に移動して規制リブ３０ｄから離れると共に、傾斜リブ２０ｂを乗り越え、さらにストッパリブ３０ａに当接し、これらの間の拘束部３０ｃによって離脱不能に拘束される。これにより、外蓋２０と内蓋３０とは一体化され、以後両者は一緒に回転することになる。この状態から、さらに外蓋２０を把持して開き方向に回し、蓋体４０（一体化された外蓋２０と内蓋３０）を口筒部１１から螺脱させることにより、容器本体１０内の内容物を取り出すことが可能となる。
【００５３】
また使用後の状態に至った蓋体４０の天面は図４Ｂ同様である。すなわち、蓋体４０の天面（外蓋２０の天面２１）は、外蓋側不透明領域２３（白色）と外蓋側透明領域２２を介して外部に表出される内蓋側第２領域３３（青色）とにより形成され、外蓋側不透明領域２３（白色）と内蓋側第２領域３３（青色）とが周方向に交互に配置されることによる渦巻き模様が表出された状態にある。
【００５４】
しかも一度使用後の状態にとなった後に、把持した蓋体４０を閉じ方向に回して使用前の状態に戻そうとしても、外蓋２０側の移動リブ２０ａが傾斜リブ３０ｂを逆方向（閉じ方向）に乗り越えることは不可能であり、移動リブ２０ａは拘束部３０ｃにて離脱不能に拘束された使用後の状態が継続され、その結果蓋体４０の天面も渦巻き模様が表出された状態（図４Ｂ）を維持される。
このように第２実施例に示す広口容器１は、一度使用後の状態にとなった後に再び使用前の状態に戻すことは不可能であるため、過去に開封操作が行われたことがある広口容器１であるか否かを容易に判別することができる。
よって、第２実施例に示す広口容器１では、開封操作の有無を容易且つ迅速に判別可能であることから、悪戯等による不正開封を抑止する効果が期待できる。あるいは不正開封操作が行われことのない広口容器１であるか、または不正開封操作が行われたことのある広口容器１であるか、について証明することもできる。
【００５５】
以上、実施例に沿って本発明の構成とその作用効果について説明したが、本発明の実施の形態は上記実施例に限定されるものではない。
例えば、上記第１実施例では蓋体４０の天面に異なる色による渦巻き模様が表出される場合を示して説明したが、本発明はこれに限定されるものではなく、その他の柄（例えば縞模様の柄、チェック柄、絵柄、記号による柄等）が表出される構成であっても良い。
【００５６】
また上記第１、第２実施例では、閉蓋状態のときに渦巻き模様が隠れ、開蓋状態にすると渦巻き模様が表出する場合を示して説明したが、本発明はこれに限定されるものではなく、閉蓋状態のときに渦巻き模様が表出し、開蓋状態にすると渦巻き模様が隠れる構成であっても良い。
【００５７】
また上記第１実施例では外蓋２０の周壁２５の内面２５Ｂに溝部２７を設け、これと対向する内蓋３０の周壁３５の外面３５Ａに凸部３７を設けた場合を示して説明したが、本発明はこれに限定されるものではなく、外蓋２０の周壁２５の内面２５Ｂに凸部を設け、これと対向する内蓋３０の周壁３５の外面３５Ａに溝部を設ける構成であっても良い。
【００５８】
同様に、上記第２実施例では外蓋２０の周壁２５の内面２５Ｂに移動リブ２０ａを設け、これと対向する内蓋３０の周壁３５の外面３５Ａにストッパリブ３０ａ、傾斜リブ３０ｂ、拘束部３０ｃ及び規制リブ３０ｄを設けた場合を示して説明したが、本発明はこれに限定されるものではなく、外蓋２０の周壁２５の内面２５Ｂに係止リブ、傾斜リブ、拘束部及び規制リブを設け、これと対向する内蓋３０の周壁３５の外面３５Ａに移動リブを設ける構成であっても良い。
【産業上の利用可能性】
【００５９】
本発明の広口容器は、開閉状態を把握することを望む容器の分野における用途展開をさらに広い領域で図ることができる。
【符号の説明】
【００６０】
１      ：  広口容器
１０    ：  容器本体
１１    ：  口筒部
１２    ：  口筒部の周壁
１３    ：  ネジ（雄ネジ）
１４    ：  本体側係止片
２０    ：  外蓋
２０ａ  ：  移動リブ
２１    ：  外蓋の天面
２２    ：  外蓋側透明領域
２３    ：  外蓋側不透明領域
２４    ：  外蓋側模様部
２５    ：  周壁
２５Ｂ  ：  周壁の内面
２６    ：  段差部
２７    ：  溝部
２７Ａ  ：  副溝部
２７Ｂ  ：  主溝部
２７ａ  ：  閉方向エッジ
２７ｂ  ：  開方向エッジ
２８    ：  規制凸部
３０    ：  内蓋
３０ａ  ：  ストッパリブ
３０ｂ  ：  傾斜リブ
３０ｃ  ：  拘束部
３０ｄ  ：  規制リブ
３１    ：  内蓋の天面
３２    ：  内蓋側第１領域
３３    ：  内蓋側第２領域
３４    ：  内蓋側模様部
３５    ：  周壁
３５Ａ  ：  周壁の外面
３５Ｂ  ：  周壁の内面
３６    ：  フランジ部
３７    ：  凸部
３７Ａ  ：  副凸部
３７Ｂ  ：  主凸部
３８    ：  ネジ（雌ネジ）
３９    ：  内蓋側係止片
４０    ：  蓋体
【図１】
2018039568.tif 000003
【図２】
2018039568.tif 000004
【図３】
2018039568.tif 000005
【図４】
2018039568.tif 000006
【図５】
2018039568.tif 000007
【図６】
2018039568.tif 000008
【図７】
2018039568.tif 000009
【図８】
2018039568.tif 000010
【図９】
2018039568.tif 000011